(57)【特許請求の範囲】
【請求項１】
複数の画素が２次元に配列され、行毎の前記複数の画素に沿って複数の走査線が配列されるとともに、列毎の前記複数の画素に沿って複数の信号線が配列された表示部と、
前記複数の走査線を駆動する走査線駆動回路と、
前記複数の信号線を介して前記複数の画素に映像信号を供給する信号線駆動回路と、
前記走査線駆動回路と前記信号線駆動回路を制御し、前記表示部をプログレッシブモード又はインタレースモードで駆動するタイミングコントローラと、
前記表示部が前記インタレースモードで駆動される場合、プログレッシブモードで駆動されるときとの階調レベルの差を補正する補正データを出力する階調補正テーブルと、
を具備したことを特徴とする表示装置。
【請求項２】
前記階調補正テーブルが、前記タイミングコントローラの内部に設けられていることを特徴とする、請求項１に記載の表示装置。
【請求項３】
前記階調補正テーブルが、前記タイミングコントローラの外部に設けられていることを特徴とする、請求項１に記載の表示装置。
【請求項４】
前記階調補正テーブルが、各階調におけるプログレッシブモード駆動時の輝度を基準として、選定される階調の当該階調を含む前後複数階調のインタレースモード駆動時における輝度との差分を算出し、この差分の絶対値が最小となる階調に相当するプログレッシブ階調をインタレースモード駆動時の近似階調として設定されていることを特徴とする請求項１に記載の表示装置。
【請求項５】
複数の画素が２次元に配列され、行毎の前記複数の画素に沿って複数の走査線が配列されるとともに、列毎の前記複数の画素に沿って複数の信号線が配列された表示部と、
前記複数の走査線を駆動する走査線駆動回路と、
前記複数の信号線を介して前記複数の画素に映像信号を供給する信号線駆動回路と、
前記走査線駆動回路と前記信号線駆動回路を制御し、前記表示部に画像データを供給するとともに、前記表示部をプログレッシブモード又はインタレースモードで駆動するするタイミングコントローラと、
前記タイミングコントローラに画像データを供給する主装置に設けられており、前記表示部が前記インタレースモードで駆動される場合、プログレッシブモードで駆動されるときとの階調レベルの差を補正する補正データを出力する階調補正テーブルと、
を具備したことを特徴とする端末装置。
【請求項６】
前記階調補正テーブルが、各階調におけるプログレッシブモード駆動時の輝度を基準として、選定される階調の当該階調を含む前後複数階調のインタレースモード駆動時における輝度との差分を算出し、この差分の絶対値が最小となる階調に相当するプログレッシブ階調をインタレースモード駆動時の近似階調として設定されていることを特徴とする請求項５に記載の端末装置。
【請求項７】
複数の画素が２次元に配列され、行毎の前記複数の画素に沿って複数の走査線が配列されるとともに、列毎の前記複数の画素に沿って複数の信号線が配列された表示部と、前記複数の走査線を駆動する走査線駆動回路と、前記複数の信号線を介して前記複数の画素に映像信号を供給する信号線駆動回路とを有し、タイミングコントローラにより前記走査線駆動回路と前記信号線駆動回路を制御し、前記表示部をプログレッシブモード又はインタレースモードで駆動する表示装置の駆動方法において、
前記表示部が前記プログレッシブモード又はインタレースモードのいずれで駆動されるかを判定し、
前記表示部がインタレースモードで駆動される場合、プログレッシブモードで駆動されるときとの階調レベルの差を補正する補正データを出力する、
ことを特徴とする表示装置の駆動方法。
【請求項８】
前記階調補正テーブルが、各階調におけるプログレッシブモード駆動時の輝度を基準として、選定される階調の当該階調を含む前後複数階調のインタレースモード駆動時における輝度との差分を算出し、この差分の絶対値が最小となる階調に相当するプログレッシブ階調をインタレースモード駆動時の近似階調として設定されており、インタレースモード駆動時には前記階調補正テーブルの近似階調データを使用することを特徴とする請求項７に記載の表示装置の駆動方法。
【発明の詳細な説明】
【技術分野】
【０００１】
本発明は一般に、表示装置及びその駆動方法及び端末装置に関し、特に、プログレッシブ駆動とインタレース駆動を切り替えるときに生じる問題、消費電力に関する問題を改善したものである。
【背景技術】
【０００２】
近年、表示部を備えるモバイル機器が各種開発されている。表示部を備えるモバイル機器の例としては、液晶表示装置を備えるノートブック型パーソナルコンピュータ（以下、ノートＰＣと称する）がある。こうした表示部を備えるモバイル機器の価値を決める要素の一つとしては、そのモバイル機器をバッテリー駆動で使用可能な時間が挙げられる。このバッテリー駆動で使用可能な時間を増加させるためには、当該モバイル機器全体の消費電力を抑えることが必要となる。
【０００３】
一般に、表示部を備えるモバイル機器においては、その表示部の消費電力が全体の消費電力に占める割合が大きい。そのため、表示部の消費電力を抑える種々の方法が開発されている。以下、表示部を備えるモバイル機器として、液晶表示装置を備えるノートＰＣを例に説明する。
【０００４】
ノートＰＣの消費電力を抑える方法の例として、電源の供給状態に応じて液晶表示装置の駆動方法を切り替える方法がある。例えば、プログレッシブ駆動（又はプログレッシブモード）とインタレース駆動（又はインタレースモード）を切り替える方法がる。この方法では、電源がコンセント等から常時供給される環境では液晶表示装置をプログレッシブ（線順次）駆動し、バッテリー等から供給される環境（すなわち、供給電力に限りがある環境）ではインタレース（間引き）駆動を行う。インタレース駆動を行った場合、プログレッシブ駆動と比較し、１垂直期間に信号線や走査線を駆動する回数が１／ｎとなり、飛躍的に消費電力を低減できることが期待できる。
【０００５】
ところでインタレース駆動とプログレッシブ駆動を切り替える技術を開示したものとして特許文献１がある。ここでは、インタレース映像信号からプログレッシブ映像信号に変換する際、変換された信号の精度が悪くなってしまうことがある点に着目している。このような問題を解決するため、元のインタレース映像信号が、どのようなシーケンスによる映像信号であるかを検出して、その検出に基づいて変換処理状態を変化させる方法である。
【特許文献１】特開２００４−９６２２３号公報
【発明の開示】
【発明が解決しようとする課題】
【０００６】
インタレース駆動とは、ｎ（ｎ≧１）本の走査線を間引いた（ｎ＋１）枚の画像を重ね合わせて一画面を構成する方法である。この方法において、（ｎ＋１）枚の各々の画像は、互いに補完する画像である。インタレース駆動では、１垂直期間に信号線や走査線を駆動する回数が１／ｎとなる。このため、プログレッシブ駆動と比較して、消費電力を飛躍的に低減することができる。しかし、一方ではインタレース駆動では、動画部においてライン妨害と呼ばれる画質劣化が発生してしまうという問題がある。
【０００７】
また、ある画素に注目したとき、プログレッシブ駆動では１垂直期間に１回の駆動が行われるのに対して、インタレース駆動では（ｎ＋１）垂直周期に1回しか駆動されない。このように駆動される間隔が広がると、液晶表示装置の場合には、画素に印加される実効電圧が、駆動に起因して、あるいは、構成材料の特性に起因して変化することがある。駆動に起因するものとしては、信号線と画素電極間に形成される寄生容量を介し、信号線に印加される映像電圧信号により画素電圧が抜けていくリーク現象が含まれる。構成材料の特性に起因するものには、自然放電が含まれる。画素に印加される実効電圧は、液晶分子の傾きに影響するため、結果として輝度（透過率）が変化する。つまり、同一の液晶表示装置で同じ階調を表示させても、プログレッシブ駆動の場合とインタレース駆動の場合とで輝度（明るさ）が異なってしまう。
【０００８】
さらに、インタレース駆動では、上述した（ｎ＋１）枚の画像を順次表示する。このため、背景と色や明るさが異なる画像を動かした場合、ライン妨害や、境界部がギザギザに見える（以下、「折り返し歪」と称す）といった表示品質の劣化が発生することがあり得る。これは、各フィールドで更新される画像（走査ライン）がｎ走査ライン毎に間引かれているためである。従って、液晶表示装置においてプログレッシブ駆動とインタレース駆動を切り替える場合、同じ階調でも輝度が異なってしまうため、表示画面全体の輝度が変動しているように視覚される。
【０００９】
そこでこの発明は、プログレッシブ駆動とインタレース駆動が切り替わったとしても輝度変動がなく安定した画像を表示することができ、かつ、プログレッシブ駆動からインタレース駆動又はその逆にダイナミックに切り替えることができ、これにより、省電力化を図ることができる表示装置及びその駆動方法及び端末装置を提供することを目的とする。
【課題を解決するための手段】
【００１０】
上記課題を解決するために、本発明の一つの面によれば、複数の画素が２次元に配列され、行毎の前記複数の画素に沿って複数の走査線が配列されるとともに、列毎の前記複数の画素に沿って複数の信号線が配列された表示部２５と、前記複数の走査線を駆動する走査線駆動回路２４と、前記複数の信号線を介して複数の画素に映像信号を供給する信号線駆動回路２３と、前記走査線駆動回路と前記信号線駆動回路を制御し、前記表示部２５をプログレッシブモード又はインタレースモードで駆動するするタイミングコントローラ２１と、表示部２５が前記インタレースモードで駆動される場合、プログレッシブモードで駆動されるときとの階調レベルの差を補正する補正データを出力する階調補正テーブルと、を備える。
【００１１】
また本発明の他の一面では、階調補正テーブルが、各階調におけるプログレッシブモード駆動時の輝度を基準として、選定される階調の当該階調を含む前後複数階調のインタレースモード駆動時における輝度との差分を算出し、この差分の絶対値が最小となる階調に相当するプログレッシブ階調をインタレースモード駆動時の近似階調として設定されている。
【発明の効果】
【００１２】
本発明によれば、プログレッシブモードとインタレースモードとの間の輝度差の発生を抑えることができる。また、低電力化が可能な表示方法をフレキシブルに適用でき、画質劣化を回避しつつ消費電力の低減が実現きる。
【発明を実施するための最良の形態】
【００１３】
以下、本発明の実施形態について図面を参照しながら説明する。
【００１４】
図１は、本発明の一実施形態による端末装置１００の全体構成を示すブロック図である。ここでは、端末装置として、液晶パネルを供えるノートＰＣを例に説明する。
【００１５】
端末装置１００は、大別して主装置１０と表示装置２０を備える。主装置１０は、中央演算処理ユニット（以下、「ＣＰＵ」と称する）１１と画像処理回路１２を含む。表示装置２０は、タイミングコントローラ（以下、「ＴＣＯＮ」と称する）２１、階調補正テーブル２２、信号線駆動回路２３、走査線駆動回路２４、及び、液晶パネルによる表示部２５を含む。ここには、複数の画素が２次元に配列されている。そして、行毎の複数の画素に沿って複数の走査線が配列されるとともに、列毎の前記複数の画素に沿って複数の信号線が配列されている。走査線駆動回路２４は、複数の走査線を駆動し、信号線駆動回路２３は、複数の信号線を介して前記複数の画素に映像信号を供給する。
【００１６】
主装置１０に設けられたＣＰＵ１１は、画像処理回路１２に接続されており、その動作を制御する。入出力デバイス１３は、例えばメモリ、ハードディスクである。また入出力デバイス１３は、外部からのデータを受け取る接続端子を含んでもよい。
【００１７】
画像処理回路１２は、表示部２０に設けられたタイミングコントローラ２１に接続されている。画像処理回路１２は、映像データ信号と、同期信号と、クロック信号とを表示装置２０との間に適用されているプロトコルに従ってＴＣＯＮ２１に供給する。
【００１８】
表示装置２０に設けられたＴＣＯＮ２１は、階調補正テーブル２２を備えている。階調補正テーブル２２は、プログレッシブ駆動における各階調レベルに対し、インタレース駆動した場合の近似階調のデータを格納するテーブルである。また、ＴＣＯＮ２１は、信号線駆動回路２３と走査線駆動回路２４とに接続されており、これらの回路を制御する。ＴＣＯＮ２１は、主装置１０の画像処理回路１２から供給される同期信号のシーケンスまたはＣＰＵ１１からのコントロール信号により、表示モードをプログレッシブモードにするかインタレースモードにするかを決定することができる。その結果に基づき、ＴＣＯＮ２１は、階調補正テーブル２２のデータに従い映像データを加工して階調補正を行う。
【００１９】
信号線駆動回路２３は、ＴＣＯＮ２１による制御に従って、複数列の映像信号線を介して表示部２５に映像信号を供給する。走査線駆動回路２４は、ＴＣＯＮ２１による制御に従って、表示部２５の複数行の走査線を順次駆動する。
【００２０】
表示部２５は、文字、静止画像、映像等を表示する部分である。表示部２５は、前述した複数行の走査線と複数列の映像信号線とを有しており、当該走査線と当該映像信号線との交差部に画素が配置されている。表示部２５には、ＴＣＯＮ２１による判別結果に基づいて、プログレッシブモードとインタレースモードのいずれかの表示モードで映像等が表示される。
【００２１】
１４は、電源回路である。電源回路１４は、商用電源、又はバッテリーのいずにも対応できる回路である。電源回路１４は、主装置１０、及び表示装置２０に電力を供給する。電源回路１４のソースとして商用電源が利用されているか、バッテリーが利用されているかは、ＣＰＵ１１により判定される。
【００２２】
ＣＰＵ１１は、商用電源が使用されているときは、プログレッシブモードに表示装置２０を設定する。しかし、ＣＰＵ１１は、バッテリーが使用されているときは、プログレッシブ映像データをインタレースモードで表示するように、タイミングコントローラ２１を指令する。このときは、階調補正が行われる。またこのときは、消費電力の低減を得ることができる。しかし、プログレッシブ映像データが、動画像であるにもかかわらずインタレースモードで表示すると、先に説明したように画像の品位が低下する。このような場合には、自動的にプログレッシブモードに表示状態を切り替える。
【００２３】
図２、図３を参照しつつ、上記の階調補正テーブル２２について更に詳細に説明する。
【００２４】
図２、図３の（Ａ）の部分は、ある液晶パネルである表示部をプログレッシブ駆動した場合とインタレース駆動した場合における階調と輝度の関係を示す表である（以下、この表を「表（Ａ）」と称する）。図２、図３の（Ｂ）の部分は、階調補正テーブル２２の内容の一例である（以下、このテーブルを「テーブル（Ｂ）」と称する）。
【００２５】
図２、図３において、表（Ａ）では１２本の列Ａ１−Ａ１２を示している。最も左の列Ａ１は、階調（０〜６３）を示している。左から２番目の列Ａ２は、表示部をプログレッシブ駆動した場合の各階調に対応した輝度を示し、左から３番目の列Ａ３は、当該表示部をインタレース駆動した場合の各階調に対応した輝度を示す。
【００２６】
残りの９本の列Ａ４−Ａ１２は、プログレッシブ駆動した場合の輝度から、インタレース駆動した場合の輝度を引いた差分を示す。
【００２７】
表（Ａ）の上記９本の列について更に詳細に説明する。９本の列の各列は、複数の太枠で囲まれた部分を有している（以下、このような部分を「サブ列」と称する）。例えば、最も右の列Ａ１２は７つのサブ列を有している。表（Ａ）中の点線で囲まれた部分（左から７番目の列Ａ７の中央にあるサブ列）を参照すると、枠線で囲まれた３４階調部分の差分数値「−１５．２０」は、３４階調目におけるプログレッシブ駆動の場合の輝度（１４６．７）から、３４階調目におけるインタレース駆動の場合の輝度（１６１．９）を引いた値となっている（−１５．２０＝１４６．７−１６１．９）。また、「−１５．２０」の下に示される値は「−８．６０」である。この値は、３４階調目におけるプログレッシブ駆動の場合の輝度（１４６．７）から、３３階調目におけるインタレース駆動の場合の輝度（１５５．３）を引いた値となっている（−８．６０＝１４６．７−１５５．３）。また、「−８．６」の下に示される値は「−２．００」である。この値は、３４階調目におけるプログレッシブ駆動の場合の輝度（１４６．７）から、３２階調目におけるインタレース駆動の場合の輝度（１４８．７）を引いた値となっている（−２．００＝１４６．７−１４８．７）。さらに、また、「−２．００」の下に示される値は「１．８０」である。この値は、３４階調目におけるプログレッシブ駆動の場合の輝度（１４６．７）から、３１階調目におけるインタレース駆動の場合の輝度（１４４．９）を引いた値となっている（１．８０＝１４６．７−１４４．９）。
【００２８】
また、「１．８０」の下に示される値は「５．７０」である。この値は、３４階調目におけるプログレッシブ駆動の場合の輝度（１４６．７）から、３０階調目におけるインタレース駆動の場合の輝度（１４１．０）を引いた値となっている（５．７０＝１４６．７−１４１．０）。
【００２９】
今度は、「−１５．２０」の上に示される値は「−２１．９０」である。この値は、３４階調目におけるプログレッシブ駆動の場合の輝度（１４６．７）から、３５階調目におけるインタレース駆動の場合の輝度（１６８．６）を引いた値となっている（−２１．９０＝１４６．７−１６８．６）。さらに「−２１．９０」の上に示される値は「−２８．７０」である。この値は、３４階調目におけるプログレッシブ駆動の場合の輝度（１４６．７）から、３６階調目におけるインタレース駆動の場合の輝度（１７５．４）を引いた値となっている（−２８．７０＝１４６．７−１７５．４）。さらに「−２８．７０」の上に示される値は「−３５．５０」である。この値は、３４階調目におけるプログレッシブ駆動の場合の輝度（１４６．７）から、３７階調目におけるインタレース駆動の場合の輝度（１８２．２）を引いた値となっている（−３５．５０＝１４６．７−１８２．２）。さらに「−３５．５０」の上に示される値は「−４２．４０」である。この値は、３４階調目におけるプログレッシブ駆動の場合の輝度（１４６．７）から、３８階調目におけるインタレース駆動の場合の輝度（１８９．１）を引いた値となっている（−４２．４０＝１４６．７−１８９．１）。
【００３０】
上記のように、各サブ列は、基本的に、その中央行に対応する階調におけるプログレッシブ駆動の場合の輝度から、当該階調のインタレース駆動の場合の輝度を引いた値を一義的に求め、当該基本行を中心として当該階調のプログレッシブ駆動における輝度を基準として当該階調の±４の範囲における階調のインタレース駆動の場合の各輝度を引いた値を含んでいる（ただし、表（Ａ）中、一部の列の最上部及び／又は最下部のサブ列を除く）。
【００３１】
そして、各サブ列においては、当該サブ列に含まれる数値のうちで、最も小さい絶対数値に対応する行のインタレース駆動の場合の階調における輝度が、そのサブ列の中央行に対応する階調におけるプログレッシブ駆動の場合の輝度に最も近いことを表している。
【００３２】
例えば、列Ａ７の点線で囲まれたサブ列の場合には、サブ列の中で最も絶対数値が小さい１．８０が選択され、この該当行は３１階調に相当している。従って、テーブル（Ｂ）に示すように、プログレッシブ駆動の場合の階調が３４であると、インタレース駆動の場合には、３４階調ではなく３１階調が近似階調として変換テーブルに設定される。以下同様にして各サブ列毎にインタレース駆動時の近似階調が設定されている。
【００３３】
このようなルールに基づいて、テーブル（Ｂ）は作成されており、プログレッシブ駆動からインタレース駆動に切り替える場合の各階調が、インタレース駆動におけるプログレッシブ駆動の場合のどの階調に近似しているかを示す一覧表である。すなわち、テーブル（Ｂ）は、プログレッシブ駆動時の階調に近似するインタレース駆動用の階調を示す一覧表である。このテーブル（Ｂ）が階調補正テーブル２２を構成する。
【００３４】
このようにして、プログレッシブ駆動の階調を基準にして、設定階調の前後複数の階調のプログレッシブ駆動時の輝度とインタレース駆動時の輝度差を算出し、この差の絶対値が最も小さな階調をインタレース駆動時の近似階調として各階調毎に設定している。
【００３５】
なお、階調補正テーブル２２の内容は、液晶など表示部２５を構成する部材の特性や、階調カーブなど設計及び設定によって異なる。
【００３６】
図４及び図５を参照しつつ、ＴＣＯＮ２１の動作について更に詳細に説明する。図４は、プログレッシブ駆動の場合とインタレース駆動の場合における階調対輝度を表すグラフであり、同じ階調を設定した場合でも、プログレッシブ駆動とインタレース駆動の場合とで輝度が相違していることを示している。図５は、プログレッシブ駆動の場合とインタレース駆動において階調補正を行った場合における階調対輝度を表すグラフである。
【００３７】
ＴＣＯＮ２１は、ＴＣＯＮ２１と画像処理回路１２との間のプロトコルに従って、画像処理回路１２から受信される信号（同期信号＋映像データ信号）が、プログレッシブモードかインタレースモードかを判定する。インタレースモードと判定された場合は、画像処理回路１２から供給されるプログレッシブの映像データの階調を階調補正テーブル２２に従って変換する。
【００３８】
この階調補正テーブル２２は、上記のように構成されているために、プログレッシブ駆動からインタレース駆動に切り替えた場合でも、プログレッシブ駆動時の階調により近似したインタレース駆動用の階調を設定することが可能となるので、両駆動の切り替え時の輝度差を少なくすることができ、切り替え時の輝度変動を抑制できる。
【００３９】
図５には、階調補正テーブル２２に従って加工した映像データを用いてインタレース駆動した場合の階調対輝度のグラフが示されている。図５から分かるように、階調補正を施してインタレース駆動した場合の階調カーブが、プログレッシブ駆動した場合の階調カーブにほぼ重なっている。実験においては、ダイナミックにプログレッシブ駆動とインタレース駆動とを切り替えたときに視認できていた明るさの違いが、視認できないレベルまで低減された。
【００４０】
また、近似階調を使用しても明るさの差が視認できるレベルにある場合には、ディザやＦＲＣ（Ｆｒａｍｅ  Ｒａｔｅ  Ｃｏｎｔｒｏｌ）を使用して、１階調を更に細分化したレベルを適用してもよい。
【００４１】
上述した端末装置１００では、階調補正テーブル２２が、表示装置２０のＴＣＯＮ２１に設けられている。しかし、階調補正テーブル２２は表示装置２０の別の場所に設けられてもよい。また、階調補正テーブル２２は主装置１０内に設けられても良い。
【００４２】
以下、図６乃至図８を参照しつつ、階調補正テーブル２２をＴＣＯＮ２１以外に設ける実施形態について説明する。なお、図６乃至図８中、図１中の符号と同様の符号は同様の要素を指すものであり、その説明を省略する。
【００４３】
図６は、本発明の別の実施形態による端末装置１００を示すブロック図である。この装置１００では、階調補正テーブル２２が、ＴＣＯＮ２１の外に設けられている。階調補正テーブル２２は、ＴＣＯＮ２１とは別のデバイスに構成されており、例えばＥＰＲＯＭであってよい。この装置１００は、ＴＣＯＮ２１が階調補正テーブル２２のデータを読み出す構成である。
【００４４】
上述した装置１００は、表示装置２０内で階調補正する場合に適用され得る。図６は、本発明の別の実施形態による装置１００を示すブロック図である。図７に示される装置１００では、階調補正テーブル２２が主装置１０の画像処理回路１２内に設けられている。
【００４５】
図８は、本発明の別の実施形態による装置１００を示すブロック図である。図８に示される装置１００では、階調補正テーブル２２が主装置１０に設けられる場合と、表示装置２０側に設けられる場合の双方を示している。階調補正テーブル２２が表示装置２０に設けられる場合、画像処理回路１２が表示装置２０内の階調補正テーブル２２を読み出す。一方、階調補正テーブル２２が主装置１０側に設けられる場合、画像処理回路１２はＣＰＵ１１を介して階調補正テーブル２２のデータを利用する。
【００４６】
上述した装置１００は、主装置１０にある画像処理回路１２で階調補正を行う場合にも適用され得る。
【００４７】
装置１００では、表示装置２０に供給される映像信号に動画が含まれているときには、例えば同期信号がインタレースのプロトコルにされると共に、階調補正テーブル２２に従って画像データを加工した信号が表示装置２０に供給される。階調補正テーブル２２は、予め用意できる場合には、ＲＯＭ等のハードウェアとして設けても良い。また、階調補正テーブル２２は、主装置１０内の記憶装置（図示せず）からソフトウェアで読み取るようにしてもよい。
【００４８】
なお、主装置１０にある画像処理回路１２で階調補正を行う場合、階調補正テーブル２２を主装置１０ではなく、表示装置２０に設けてもよい。この場合、表示装置２０の立ち上げ時等に階調補正テーブル２２のデータを表示装置２０から読み込むようにしてもよい。
【００４９】
上記実施形態では、表示装置として液晶パネルを供えるノートＰＣを例に挙げて説明したが、本発明はこれに限定されるものではない。例えば、本発明を、液晶表示部を備えるＰＤＡや携帯電話等に適用してもよい。この場合にも、上記実施形態と同様の効果を得ることができる。
【００５０】
また、上記実施形態に開示されている複数の構成要素を適宜に組み合わせることで種々の発明を形成できる。例えば、実施形態に示される全構成要素から幾つかの構成要素を削除してもよい。更に、異なる実施形態にわたる構成要素を適宜組み合わせてもよい。
【００５１】
図９（Ａ）、図９（Ｂ）では、この発明の効果を説明するために折り返し歪が生じた場合と、折り返し歪がない場合の動画像の例を示している。図９（Ａ）は、表示装置２０がインタレース駆動された場合の例を示している。ｎフィールドの画像ａ１が右方向へ移動する動画像であるとする。すると、ｎ＋１フィールドでは、画像ａ２，ｎ＋２フィールドでは、画像ａ３にあるように、画像エッジがギザギザになる現象がみられる。これに対して、図９（Ｂ）は、表示部２０がプログレッシブ（ノンインタレース）駆動された場合の例を示している。ｎフィールドの画像ｂ１が右方向へ移動する動画像であるとする。すると、ｎ＋１フィールドでは、画像ｂ２，ｎ＋２フィールドでは、画像ｂ３にあるように、画像エッジはスムーズである。
【００５２】
したがって、本発明の装置では、バッテリー使用のように、低消費電力が望ましい環境下では、基本的にはインタレース駆動が実行される。しかし、動画像が入力したときは、画質が落ちるために、プログレッシブ駆動を実行するようにしている。しかも、先の階調補正テーブルが使用されているので、平均輝度が画面全体で変動することはない。
【００５３】
例えばパーソナルコンピュータに本発明が適用された場合、動画像としては、マウス操作したときのカーソルの移動、さらには、文字入力を行っており、画像として動く場合があるが、階調補正テーブルを使用しているので、平均輝度の変動を抑制することが可能となる。
【００５４】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【図面の簡単な説明】
【００５５】
【図１】本発明の一実施形態による表示装置の回路構成例を示すブロック図である。
【図２】ある液晶パネルをプログレッシブ駆動した場合とインタレース駆動した場合の階調と輝度の関係を示す表と、階調補正テーブルの例を示す近似階調選択表を示す図である。
【図３】図２の続きを示す図である。
【図４】プログレッシブ駆動の場合とインタレース駆動の場合における階調対輝度を表すグラフを示す図である。
【図５】プログレッシブ駆動の場合とインタレース駆動において階調補正を行った場合における階調対輝度を表すグラフを示す図である。
【図６】本発明の別の実施形態による表示装置の回路構成例を示すブロック図である。
【図７】本発明の別の実施形態による表示装置の回路構成例を示すブロック図である。
【図８】本発明の別の実施形態による表示装置の回路構成例を示すブロック図である。
【図９】インタレースモードで発生する画像品質の劣化の例をプログレッシブモードの場合の画像品質と比較して示す図である。
【符号の説明】
【００５６】
１０…主装置、１１…ＣＰＵ、１２…画像処理回路、１３…入出力デバイス、２０…表示装置、２１…タイミングコントローラ、２２…階調補正テーブル、２３…信号線駆動回路、２４…走査線駆動回路、２５…表示部、１００…端末装置
【図１】
0004728816.tif 000002
【図２】
0004728816.tif 000003
【図３】
0004728816.tif 000004
【図４】
0004728816.tif 000005
【図５】
0004728816.tif 000006
【図６】
0004728816.tif 000007
【図７】
0004728816.tif 000008
【図８】
0004728816.tif 000009
【図９】
0004728816.tif 000010